(57)【要約】      （修正有）【課題】壁面又はガラス面をボリューム感のある花や緑で装飾することを可能とする花器を提供する。【解決手段】内部に植物が収容される収容空間２を備えてなるとともに外側には１つ以上の平面が形成されてなる複数の花器本体１と、該花器本体を壁面又はガラス面に固定する固定手段３とを備え、該花器本体に形成された平面及び／又は２平面からなる交線には、上下方向及び／又は左右方向に互いの花器本体を連結する連結手段４、５が設けられていることを特徴とする花器によって、壁面又はガラス面に複数の花器本体を安全強固に固定できるようにするとともに、ボリューム感のある花や緑で装飾することを可能とする。【選択図】図３
0003109784.tif 000002
【実用新案登録請求の範囲】
【請求項１】
内部に植物が収容される収容空間を備えてなるとともに外側には１つ以上の平面が形成されてなる複数の花器本体と、該花器本体を壁面又はガラス面に固定する固定手段とを備え、該花器本体に形成された平面及び／又は２平面からなる交線には、上下方向及び／又は左右方向に互いの花器本体を連結する連結手段が設けられていることを特徴とする花器。
【請求項２】
前記花器本体には、少なくとも２以上の平面が形成され、これらの平面のうち、特定の平面には一方の連結部が形成されてなり、他の平面には、隣り合う他の花器本体に形成された上記一方の連結部に連結する他方の連結部が形成されてなることを特徴とする請求項１に記載の花器。
【請求項３】
前記花器本体には、少なくとも３以上の平面が形成され、これらの２平面からなる交線のうち、特定の交線には一方の連結部が形成されてなり、他の交線には、隣り合う他の花器本体に形成された上記一方の連結部に連結する他方の連結部が形成されてなることを特徴とする請求項１又は請求項２に記載の花器。
【請求項４】
前記花器本体内部の植物が収容される収容空間に吸水・保水層の内張りが形成され、該収容空間の底に多孔質層が形成されてなることを特徴とする請求項１又は請求項２又は請求項３に記載の花器。
【考案の詳細な説明】
【技術分野】
【０００１】
本考案は複数の花器本体を壁面又はガラス面に固定する固定手段と、上下方向及び／又は左右方向に互いの花器本体を連結する連結手段を備えることを特徴とする花器に関するものである。
【背景技術】
【０００２】
たとえば、特開昭５２−９８１３５号公報、実願平８−４６４１、実願２００２−６２１３などの壁面又はガラス面に固定する花器は、単独の花器本体を壁面又はガラス面に固定させるもので、複数の花器本体を壁面又はガラス面に固定し、上下方向及び／又は左右方向に互いの花器本体を連結して使用する考え方は存在していなかった。
【０００３】
【特許文献１】特開昭５２−９８１３５号公報
【特許文献２】実願平８−４６４１号公報
【特許文献３】実願２００２−６２１３号公報
【考案の開示】
【考案が解決しようとする課題】
【０００４】
上記に参照した文献例のように、単独の花器本体を壁面又はガラス面に固定する場合、大きく重い花器では、はがれ落ちる危険性があるため、小さく軽い花器でないと安定性に欠け危険でさえある。
【０００５】
また、単独の小さい花器では複数の種類の植物を飾ることや、ボリューム感を持たせたて飾ることが困難である。また、花器そのものが目立つ構造になるため、植物を主役とする装飾には適さない。
【０００６】
さらに灌水後、花器本体の底面に作られた水抜き穴から水滴が落ち、ガラス面を汚すという課題を克服するために、水抜き穴を作らないか又は蓋をする方法を用いることで生じる課題として、灌水された必要以上の水分により根部への通気の確保が困難になるという課題が生じる。
【０００７】
したがって、本考案は、複数の花器本体を壁面又はガラス面に安全強固に固定し、複数の種類の植物を飾ることを可能とし、ボリューム感をもたせることを可能とし、必要に応じて、花器を視野から隠すこともでき、灌水後に必要以上の水分によりガラス面を汚すことがなく、余剰な水分を吸水・保水し、根部への通気を確保し、良好な状態の植物を観賞できるような花器を提供しようとするものである。
【課題を解決するための手段】
【０００８】
請求項１は、内部に植物が収容される収容空間を備えてなるとともに外側には１つ以上の平面が形成されてなる複数の花器本体と、該花器本体を壁面又はガラス面に固定する固定手段とを備え、該花器本体に形成された平面及び／又は２平面からなる交線には、上下方向及び／又は左右方向に互いの花器本体を連結する連結手段が設けられていることを特徴とする花器である。
【０００９】
請求項２は、前記花器本体には、少なくとも２以上の平面が形成され、これらの平面のうち、特定の平面には一方の連結部が形成されてなり、他の平面には、隣り合う他の花器本体に形成された上記一方の連結部に連結する他方の連結部が形成されてなることを特徴とする請求項１に記載の花器である。
【００１０】
請求項３は、前記花器本体には、少なくとも３以上の平面が形成され、これらの２平面からなる交線のうち、特定の交線には一方の連結部が形成されてなり、他の交線には、隣り合う他の花器本体に形成された上記一方の連結部に連結する他方の連結部が形成されてなることを特徴とする請求項１又は請求項２に記載の花器である。
【００１１】
請求項４は、前記花器本体内部の植物が収容される収容空間に吸水・保水層の内張りが形成され、該収容空間の底に多孔質層が形成されてなることを特徴とする請求項１又は請求項２又は請求項３に記載の花器である。
【考案の効果】
【００１２】
複数の花器本体を壁面又はガラス面に固定し、互いの花器本体を連結することにより、単独の花器本体を壁面又はガラス面に固定するより安全強固に固定される。また複数の花器本体を連結することで、複数の種類の植物を飾ることや、ボリューム感を持たせて飾ることが可能となる。
【００１３】
また複数の花器本体の植物が収容される収容空間の収容口を壁面又はガラス面に対してほぼ垂直方向に向けて固定し、互いの花器本体を連結することにより、収容空間に収容された植物によって花器本体が見る人の視野から隠され、見る人に植物のボリューム感がより強調され、あたかも壁面又はガラス面に植物が生育しているような視覚効果も発揮する。
【００１４】
また花器本体内部の植物が収容される収容空間に吸水・保水層の内張りが形成され、該収容空間の底に多孔質層が形成されることで、吸水・保水層によって余剰な水分を吸水・保水し、壁面又はガラス面を余剰な水分で汚すこともなくなり、多孔質層によって根部への持続的な給肥や通気を確保することができるようになる。
【考案を実施するための最良の形態】
【００１５】
以下、添付図面に従って実施例を説明する。図１は花器単体で、花器本体１は木材、合成樹脂材、陶磁材、金属材、石材、ガラス材、紙材、繊維材、皮革材等の適宜素材にて形成され、四角柱又は三角柱又は扇形の柱状体等を例とする内部に植物が収容される収容空間２を備えてなるとともに外側には１つ以上の平面が形成されてなる形状からなり、および花器本体１には壁面又はガラス面に固定する固定手段３を備える。固定手段には例として吸盤、マグネット、テープ等があるがこれらに特定されるものではなく、壁面又はやガラス面と花器本体１が固定され着脱可能なものであればよい。花器本体１に形成された平面及び／又は２平面からなる交線には、上下方向及び／又は左右方向に互いの花器本体を連結する連結手段４、５が設けられている。連結手段には例としてマグネット、テープ、雌雄嵌合部等があるがこれらに特定されるものではなく、複数の花器本体が連結され着脱可能であればよい。
【００１６】
花器本体１には複数の花器本体を連結する連結手段として、少なくとも２以上の平面が形成され、これらの平面のうち、特定の平面には一方の連結部４が形成されており、他の平面には、隣り合う他の花器本体に形成された上記一方の連結部に連結する他方の連結部５が形成される。
【００１７】
図２は複数の花器本体１に壁面又はガラス面に固定する固定手段３を備え、連結部４と５によって左右方向に花器本体１を連結し、植物が収容される収容空間２の収容口６を壁面又はガラス面に対してほぼ平行方向を向くようにしたものであるが、収容口６の向く方向は花器本体の形状及び壁面又はガラス面に固定する固定手段の方法及び花器本体を連結する連結手段の方法に従い適宜な方向でよい。複数の花器本体を連結することで複数の種類の植物を飾り、ボリューム感を持たせることができる。
【００１８】
図３は複数の花器本体１の植物が収容される収容空間２の収容口６を壁面又はガラス面に対してほぼ垂直方向に向けて開口して固定し、互いの花器本体を連結部４と５によって上下左右方向に連結したものである。複数の花器本体を連結することで複数の種類の植物を飾り、ボリューム感を持たせることができ、花器本体は植物の繁茂によって隠される効果がでる。
【００１９】
図４、５、６の花器本体１内部の植物が収容される収容空間２に吸水・保水層７の内張りが形成され、該収容空間２の底に多孔質層８が形成される。
【００２０】
図７の複数の花器本体９は、扇形の柱状体の内部に植物が収容される収容空間１０を備えてなるとともに外側には１つ以上の平面が形成されてなる形状からなり、花器本体９には壁面又はガラス面に固定する固定手段１１を備える。
【００２１】
花器本体９には複数の花器本体を連結する連結手段として、少なくとも２以上の平面が形成され、これらの平面のうち、特定の平面には一方の連結部１２が形成されてなり、他の平面には、隣り合う他の花器本体に形成された上記一方の連結部に連結する他方の連結部１３が形成される。
【００２２】
複数の花器本体９は、植物が収容される収容空間１０の収容口１４を壁面又はガラス面に対してほぼ垂直方向に向けて開口して固定し、互いの花器本体を連結部１２と１３によって左右方向に連結し円形を形成したものである。複数の花器本体９を連結することで複数の種類の植物を飾り、ボリューム感のある植物の輪が形成でき、花器本体は植物の繁茂によって隠される効果がでる。
【００２３】
図８は、複数の花器本体９を連結し、壁面又はガラス面に固定したものである。
【００２４】
図９の複数の花器本体１５は、三角柱の内部に植物が収容される収容空間１６を備えてなるとともに外側には１つ以上の平面が形成されてなる形状からなり、花器本体１５には壁面又はガラス面に固定する固定手段１７を備える。
【００２５】
花器本体１５には複数の花器本体を連結する連結手段として、少なくとも２以上の平面が形成され、これらの平面のうち、特定の平面には一方の連結部１８が形成されてなり、他の平面には、隣り合う他の花器本体に形成された上記一方の連結部に連結する他方の連結部１９が形成される。
【００２６】
複数の花器本体１５は、植物が収容される収容空間１６の収容口２０を壁面又はガラス面に対してほぼ垂直方向に向けて開口して固定し、互いの花器本体を連結部１８と１９によって左右方向に連結し略円形を形成したものである。複数の花器本体１５を連結することで複数の種類の植物を飾り、ボリューム感のある植物の輪が形成でき、花器本体は植物の繁茂によって隠される効果がでる。
【００２７】
図１０は、複数の花器本体１５を連結し、壁面又はガラス面に固定したものである。
【００２８】
図１１の複数の花器本体２１と２２は、立方体と直方体の内部に植物が収容される収容空間２３を備えてなるとともに外側には１つ以上の平面が形成されてなる形状からなり、花器本体２１と２２には壁面又はガラス面に固定する固定手段２４を備える。
【００２９】
花器本体２１と２２には複数の花器本体を連結する連結手段として、少なくとも２以上の平面が形成され、これらの平面のうち、特定の平面には一方の連結部２５が形成されてなり、他の平面には、隣り合う他の花器本体に形成された上記一方の連結部に連結する他方の連結部２６が形成される。
【００３０】
複数の花器本体２１と２２は、植物が収容される収容空間２３の収容口２７を壁面又はガラス面に対してほぼ垂直方向に向けて開口して固定し、互いの花器本体を連結部２５と２６によって上下左右方向に連結したものである。複数の花器本体２１と２２を連結することで複数の種類の植物を飾り、ボリューム感を持たせることができ、花器本体は植物の繁茂によって隠される効果がでる。
【００３１】
図１２は、複数の花器本体２１と２２を連結し、壁面又はガラス面に固定したものである。
【００３２】
図１３の複数の花器本体２８は、四角柱の内部に植物が収容される収容空間２９を備えてなるとともに外側には１つ以上の平面が形成されてなる形状からなり、花器本体２８には壁面又はガラス面に固定する固定手段３０を備える。
【００３３】
花器本体２８には複数の花器本体を連結する連結手段として、少なくとも３以上の平面が形成され、これらの２平面からなる交線のうち、特定の交線には一方の連結部３１が形成されてなり、他の交線には、隣り合う他の花器本体に形成された上記一方の連結部に連結する他方の連結部３２が形成される。
【００３４】
複数の花器本体２８は、植物が収容される収容空間２９の収容口３３を壁面又はガラス面に対してほぼ垂直方向に向けて固定し、互いの花器本体を連結部３１と３２によって上下左右方向に連結したものである。複数の花器本体２８を連結することで複数の種類の植物を飾り、ボリューム感を持たせることができ、花器本体は植物の繁茂によって隠される効果がでる。
【００３５】
図１４は、複数の花器本体２８を連結し、壁面又はガラス面に固定したものである。
【００３６】
図１５の複数の花器本体３４は、三角柱の内部に植物が収容される収容空間３５を備えてなるとともに外側には１つ以上の平面が形成されてなる形状からなり、花器本体３４には壁面又はガラス面に固定する固定手段３６を備える。
【００３７】
花器本体３４には複数の花器本体を連結する連結手段として、少なくとも３以上の平面が形成され、これらの２平面からなる交線のうち、特定の交線には一方の連結部３７が形成されてなり、他の交線には、隣り合う他の花器本体に形成された上記一方の連結部に連結する他方の連結部３８が形成される。
【００３８】
複数の花器本体３４は、植物が収容される収容空間３５の収容口３９を壁面又はガラス面に対してほぼ垂直方向に向けて固定し、互いの花器本体を連結部３７と３８によって上下左右方向に連結したものである。複数の花器本体３４を連結することで複数の種類の植物を飾り、ボリューム感を持たせることができ、花器本体は植物の繁茂によって隠される効果がでる。
【００３９】
図１６は、複数の花器本体３４を連結し、壁面又はガラス面に固定したものである
【００４０】
図１７、１８、１９、２０、２１、２２、２３は、複数の花器本体を連結し、壁面又はガラス面に固定して飾りつけた例を示す。
【図面の簡単な説明】
【００４１】
【図１】本考案の花器の実施例の単体の斜視図である。
【図２】本考案の花器の実施例の固定及び連結状況の透視斜視図である。
【図３】本考案の花器の実施例の固定及び連結状況の透視斜視図である。
【図４】本考案の花器の実施例の単体の斜視図である。
【図５】本考案の花器の実施例の単体の断面図である。
【図６】本考案の花器の実施例の単体の断面図である。
【図７】本考案の花器の実施例の固定及び連結状況の透視斜視図である。
【図８】本考案の花器の実施例の固定及び連結状況の透視斜視図である。
【図９】本考案の花器の実施例の固定及び連結状況の透視斜視図である。
【図１０】本考案の花器の実施例の固定及び連結状況の透視斜視図である。
【図１１】本考案の花器の実施例の固定及び連結状況の透視斜視図である。
【図１２】本考案の花器の実施例の固定及び連結状況の透視斜視図である。
【図１３】本考案の花器の実施例の固定及び連結状況の透視斜視図である。
【図１４】本考案の花器の実施例の固定及び連結状況の透視斜視図である。
【図１５】本考案の花器の実施例の固定及び連結状況の透視斜視図である。
【図１６】本考案の花器の実施例の固定及び連結状況の透視斜視図である。
【図１７】本考案の花器の実施例の飾り付け例である。
【図１８】本考案の花器の実施例の飾り付け例である。
【図１９】本考案の花器の実施例の飾り付け例である。
【図２０】本考案の花器の実施例の飾り付け例である。
【図２１】本考案の花器の実施例の飾り付け例である。
【図２２】本考案の花器の実施例の飾り付け例である。
【図２３】本考案の花器の実施例の飾り付け例である。
【符号の説明】
【００４２】
１  花器本体
２  収容空間
３  固定手段
４  連結手段
５  連結手段
６  収容口
７  吸水・保水層
８  多孔質層
９  花器本体
１０  収容空間
１１  固定手段
１２  連結手段
１３  連結手段
１４  収容口
１５  花器本体
１６  収容空間
１７  固定手段
１８  連結手段
１９  連結手段
２０  収容口
２１  花器本体
２２  花器本体
２３  収容空間
２４  固定手段
２５  連結手段
２６  連結手段
２７  収容口
２８  花器本体
２９  収容空間
３０  固定手段
３１  連結手段
３２  連結手段
３３  収容口
３４  花器本体
３５  収容空間
３６  固定手段
３７  連結手段
３８  連結手段
３９  収容口
【図１】
0003109784.tif 000003
【図２】
0003109784.tif 000004
【図３】
0003109784.tif 000005
【図４】
0003109784.tif 000006
【図５】
0003109784.tif 000007
【図６】
0003109784.tif 000008
【図７】
0003109784.tif 000009
【図８】
0003109784.tif 000010
【図９】
0003109784.tif 000011
【図１０】
0003109784.tif 000012
【図１１】
0003109784.tif 000013
【図１２】
0003109784.tif 000014
【図１３】
0003109784.tif 000015
【図１４】
0003109784.tif 000016
【図１５】
0003109784.tif 000017
【図１６】
0003109784.tif 000018
【図１７】
0003109784.tif 000019
【図１８】
0003109784.tif 000020
【図１９】
0003109784.tif 000021
【図２０】
0003109784.tif 000022
【図２１】
0003109784.tif 000023
【図２２】
0003109784.tif 000024
【図２３】
0003109784.tif 000025